(57)【要約】【課題】棒状部材に対して靴を逆さに吊るして保持させることが可能な靴干し用の保持具を提供する。【解決手段】保持具１０は、棒状部材に対する支点となる支持部２０と、靴のつま先部分を挿入可能な第１挿入口３５を棒状部材との間に形成する第１保持部３０と、支持部から離れる方向へ先細る開口形状を備え靴の側方部を挿入可能な第２挿入口４５を棒状部材との間に形成する第２保持部４０と、を有している。【選択図】図１
0003162510.tif 000002
【実用新案登録請求の範囲】
【請求項１】
棒状部材に対して靴を逆さに吊して保持する靴干し用の保持具であって、
前記棒状部材に対する支点となる支持部と、
前記支持部に連なって形成され、前記靴のつま先部分を挿入可能な第１挿入口を前記棒状部材との間に形成する第１保持部と、
前記支持部を支点にして前記第１保持部に対向する方向へ折り曲げて形成されるとともに、前記支持部から離れる方向へ先細る開口形状を備え前記靴の側方部を挿入可能な第２挿入口を前記棒状部材との間に形成する第２保持部と、
を有する靴干し用の保持具。
【請求項２】
前記棒状部材の下側に前記第１挿入口が位置するように前記棒状部材に支持させてなる請求項１に記載の靴干し用の保持具。
【請求項３】
前記棒状部材の上側に前記第１挿入口が位置するように前記棒状部材に支持させてなる請求項１に記載の靴干し用の保持具。
【考案の詳細な説明】
【技術分野】
【０００１】
本考案は、靴干し用の保持具に関する。
【背景技術】
【０００２】
靴内部の乾きを良くするためには、靴を逆さに吊るした状態で干すことが望ましい。また、庭先等に設置された既設の物干し竿に対して靴を吊るして干すことが可能になれば、小スペースかつ効率的な靴干しを行うことが可能になる。
【考案の概要】
【考案が解決しようとする課題】
【０００３】
このため、物干し竿等の棒状部材に対して靴を逆さに吊るして保持させることが可能な簡便な器具の開発が望まれる。
【０００４】
そこで本考案は、棒状部材に対して靴を逆さに吊るして保持させることが可能な靴干し用の保持具を提供することを目的としている。
【課題を解決するための手段】
【０００５】
上記目的を達成するための本考案に係る靴干し用の保持具は、棒状部材に対する支点となる支持部を有する。さらに、支持部に連なって形成され、靴のつま先部分を挿入可能な第１挿入口を棒状部材との間に形成する第１保持部を有する。さらに、支持部を支点にして第１保持部に対向する方向へ折り曲げて形成されるとともに、支持部から離れる方向へ先細る開口形状を備え靴の側方部を挿入可能な第２挿入口を棒状部材との間に形成する第２保持部を有する。
【考案の効果】
【０００６】
本考案によれば、棒状部材に対して靴を逆さに吊るして保持させることが可能になる。
【図面の簡単な説明】
【０００７】
【図１】実施形態に係る靴干し用の保持具の概略図であり、図１（Ａ）は、外観図、図１（Ｂ）は、平面図、図１（Ｃ）は、側面図である。
【図２】実施形態に係る靴干し用の保持具の使用状態を示す図であり、図２（Ａ）は、靴の側方部側から見た図、図２（Ｂ）は、靴の踵側から見た図、図２（Ｃ）は、靴のつま先側から見た図である。
【図３】変形例に係る靴干し用の保持具の概略図であり、図３（Ａ）は、外観図、図３（Ｂ）は、平面図、図３（Ｃ）は、側面図である。
【図４】変形例に係る靴干し用の保持具の使用状態を示す図であり、図４（Ａ）は、靴の側方部側から見た図、図４（Ｂ）は、靴の踵側から見た図、図４（Ｃ）は、靴のつま先側から見た図である。
【考案を実施するための形態】
【０００８】
以下、添付した図面を参照しながら、本考案の実施形態を説明する。なお、図面の説明において同一の要素には同一の符号を付し、重複する説明を省略する。また、図面の寸法比率は、説明の都合上誇張されており、実際の比率とは異なる場合がある。
【０００９】
実施形態にあっては衣服等を干すために用いられる物干し竿に一般的なゴム長靴を逆さに吊るして干すことを目的として本考案の靴干し用の保持具を利用している。
【００１０】
図１および図２を参照して、実施形態に係る靴干し用の保持具１０（以下、保持具と記す）は、概説すれば、棒状部材８０に対する支点ｓとなる支持部２０（図２（Ｂ）、（Ｃ）を参照）と、支持部２０に連なって形成され、長靴７０（靴に相当する）のつま先部分７１を挿入可能な第１挿入口３５を棒状部材８０との間に形成する第１保持部３０（図２（Ｃ）を参照）と、支持部２０を支点にして第１保持部３０に対向する方向（図１（Ａ）中の矢印ａ方向）へ折り曲げて形成されるとともに、支持部２０から離れる方向へ先細る開口形状を備え長靴７０の側方部７５を挿入可能な第２挿入口４５を棒状部材８０との間に形成する第２保持部４０（図２（Ｂ）を参照）と、を有している。保持具１０は、棒状部材８０の下側に第１挿入口３５が位置するように棒状部材８０に支持させて使用している（図２を参照）。
【００１１】
実施形態に係る保持具の構造について説明する。
【００１２】
図１を参照して、保持具１０の構成材料には、針金を利用している。針金を折り曲げることによって、支持部２０、第１保持部３０、および第２保持部４０を一体的に形成している。針金を折り曲げた簡素な構成で保持具１０を作製しているため、製作費を削減することができ、安価な価格で提供することが可能になっている。また、針金を利用しているため、後述するように、長靴７０の側方部７５を弾性的に挟み込んで保持することが可能になっている。針金には、例えば、直径２．５ｍｍ程度の鉄製のものを利用することが可能である。
【００１３】
第１保持部３０および第２保持部４０を形成するための折り曲げの起点となる部位が支持部２０を構成する。保持具１０の使用に際し、支持部２０を棒状部材８０に対して引っ掛けるように配置させている（図２（Ａ）を参照）。第１保持部３０と第２保持部４０とがなす折り曲げ角度θは、例えば、９０度程度に設定することが可能である。
【００１４】
支持部２０から伸びる枠状に形成された部分が第１保持部３０を構成する。第１保持部３０は、互いに対向して配置される第１部位３１および第２部位３２と、第１部位３１と第２部位３２とを連結する第３部位３３と、を備える。
【００１５】
第１保持部３０は、棒状部材８０との間において略矩形形状の第１挿入口３５を形成する（図２（Ｃ）を参照）。保持具１０の使用に際し、第１保持部３０の第３部位３３は棒状部材８０に対して略平行に配置させている。長靴７０のつま先部分７１の甲側を第３部位３３に引っ掛けるように配置させることによって、第１挿入口３５内においてつま先部分７１を安定的に保持させることが可能になっている。
【００１６】
支持部２０から第１部位３１が伸びる方向と異なる方向に伸びる枠状に形成された部分が第２保持部４０を構成する。第２保持部４０は、互いに向かい合わせて配置される第１傾斜部４１および第２傾斜部４２を備える。
【００１７】
第２保持部４０は、棒状部材８０との間において略Ｖ字形の第２挿入口４５を形成する（図２（Ｂ）を参照）。保持具１０の使用に際し、長靴７０の踵７３側に位置する側方部７５を第１傾斜部４１と第２傾斜部４２との間において引っ掛けるように配置させている。長靴７０の側方部７５は、第１傾斜部４１と第２傾斜部４２とによって弾性的に挟み込まれ、第２挿入口４５において締め付けられるようにして安定的に保持されることになる。
【００１８】
第２挿入口４５の開口形状を先端側に向けて先細る形状に形成しているため、保持させる長靴７０の側方部７５の位置を傾斜方向（図２（Ａ）中の矢印ｂ−ｂ’方向）へずらすことによって、側方部７５を挟み込む力を変化させることができる。第２挿入口４５によって保持させる位置を適宜ずらすことによって、異なるサイズの長靴を安定的に保持させることができ、異なるサイズの長靴に対して保持具１０を共用化することが可能になっている。
【００１９】
保持具１０の各部の寸法は、一般的なゴム長靴を保持可能とする場合には、例えば、次のような寸法を採用することが望ましい。第１保持部３０の第１部位３１および第２部位３２の長さ寸法Ｌ１（図１（Ｃ）を参照）を６５〜１１０ｍｍ程度とし、第１保持部３０の第３部位３３の長さ寸法Ｌ２（図１（Ｂ）を参照）を８５〜１２５ｍｍ程度とし、第２保持部４０の第１傾斜部４１および第２傾斜部４２の垂直方向の長さ寸法Ｌ３（図１（Ｃ）を参照）を１８０〜２８０ｍｍ程度としたものを例示できる。
【００２０】
次に、保持具の使用方法について説明する。
【００２１】
図２（Ａ）〜（Ｃ）を参照して、棒状部材８０に保持具１０を支持させる。棒状部材８０の下側に第１挿入口３５を位置させる。棒状部材８０の下側において第１挿入口３５に向かい合うようにして第２挿入口４５を位置させる。
【００２２】
棒状部材８０に対して長靴７０の靴底７７を向かい合わせるようにして、つま先部分７１を第１挿入口３５内に挿入させる。第２挿入口４５内に長靴７０の側方部７５を挿入させる。第１保持部３０の第３部位３３がつま先部分７１からの脱落を防止し（図２（Ｃ）を参照）、第２保持部４０の第１傾斜部４１および第２傾斜部４２が側方部７５を挟み込むことによって踵７３側からの脱落を防止する（図２（Ｂ）を参照）。これにより、棒状部材８０に対して逆さに吊るした状態の長靴７０を安定的に保持させることが可能になる。
【００２３】
このように、実施形態に係る保持具１０を使用することによって、棒状部材８０との間に形成させた第１挿入口３５および第２挿入口４５に長靴７０のつま先部分７１および長靴７０の側方部７５をそれぞれ挿入させる簡単な作業で靴干しを行うことができる。
【００２４】
また、棒状部材８０の下側に位置させた第１挿入口３５内においてつま先部分７１を保持させ、第１挿入口３５に向かい合うように位置する第２挿入口４５内において側方部７５を保持させることにより、棒状部材８０から長靴７０が脱落することを好適に防止することが可能になっている。
【００２５】
実施形態にあってはゴム長靴７０を保持対象としたが、保持対象はこれに特に限定されるものではなく、運動靴や革靴、ブーツ等であっても良い。
【００２６】
保持具１０を構成する部材は、針金等の金属のみに限定されるものではなく、保持対象を保持し得る耐久性を有する限りにおいて適宜変更することが可能である。例えば、プラスチック等を利用することが可能である。また、針金等の金属にビニール等の被覆を施した構成とすることも可能である。
【００２７】
保持具１０は、針金を折り曲げることによって一体的に形成しているが、例えば、複数の箇所において連結・分離可能な構成としてもよい。針金が挿入可能な管状のアタッチメントなどを利用することにより、複数の箇所における連結・分離が可能な構成を採用し得る。
【００２８】
（変形例）
上述した実施形態では、棒状部材８０の下側に第１挿入口３５が位置するように保持具１０を支持させている。これに対して、本変形例にあっては、棒状部材８０の上側に第１挿入口３５が位置するように棒状部材８０に保持具１０を支持させている（図４を参照）。このような点において、上述した実施形態と相違する。上述した実施形態と同一の部材には同一の符号を付し、説明を一部省略する。
【００２９】
図４を参照して、棒状部材８０に対して吊るして保持する保持対象は、釣りを行う際に使用される股部分７８付きの長靴７０である。保持具１０を利用して股部分７８付きの長靴７０を２足同時に棒状部材８０に対して保持させている。
【００３０】
図３を参照して、保持具１０には、長靴７０の踵７３から立ち上がるように形成された背面部７９を支持するためのストッパ５０と、保持具１０の強度を補強するための補強部材６０とを設けている。
【００３１】
ストッパ５０は、保持具１０の一部を折り曲げて保持具１０に一体的に形成している。第２保持部４０が形成する第２挿入口４５の先端部側において第１傾斜部４１および第２傾斜部４２を連結するようにストッパ５０を配置させている。
【００３２】
補強部材６０は、第１保持部３０の第３部位３３の強度を補強するために設けている。針金を挿入可能に形成された金属管を補強部材６０に利用している。管内に第１保持部３０の第３部位３３を挿入させる簡単な作業によって取り付けを行うことが可能になっている。金属管には、例えば、内径３．０ｍｍ、外径４．０ｍｍ程度の寸法を備えるアルミ製のパイプを利用することが可能である。
【００３３】
保持具１０の各部の寸法は、一般的な股部分付きの長靴を２足同時に保持可能とする場合には、例えば、次のような寸法を採用することが望ましい。第１保持部３０の第１部位３１および第２部位３２の長さ寸法Ｌ１（図３（Ｃ）を参照）を８０ｍｍ程度とし、第１保持部３０の第２部位３２の長さ寸法Ｌ２（図３（Ｂ）を参照）を２３０ｍｍ程度とし、第２保持部４０の第１傾斜部４１および第２傾斜部４２の垂直方向の長さ寸法Ｌ３（図３（Ｂ）を参照）を２２５ｍｍ程度としたものを例示できる。
【００３４】
変形例に係る保持具の使用方法について説明する。
【００３５】
図４（Ａ）〜（Ｃ）を参照して、棒状部材８０の上側に第１挿入口３５を位置させる。棒状部材８０の下側に第２挿入口４５を位置させる。
【００３６】
棒状部材８０に長靴７０の甲側を向かい合わせて配置する。長靴７０のつま先部分７１を棒状部材８０に対して引っ掛けるようにして第１挿入口３５内に挿入させる（図４（Ｃ）を参照）。
【００３７】
第２挿入口４５内には長靴７０の側方部７５を挿入させる。第２保持部４０に設けたストッパ５０によって長靴７０の背面部７９を支持させる（図４（Ｂ）を参照）。
【００３８】
支持部２０は棒状部材８０に対する支点ｓとして機能する。第２保持部４０のストッパ５０が受ける荷重によって、長靴７０を棒状部材８０に対して安定的に支持させることができる。
【００３９】
変形例に係る保持具１０を利用する場合、長靴７０が自重によって棒状部材８０に対して引っ掛けられた状態で保持されることになる。このため、一般的なゴム長靴と比較して重量の重い股部分７８付きの長靴７０を２足同時に吊るして保持するような場合においても、棒状部材８０からの脱落が生じることを好適に防止することができる。
【００４０】
変形例にあっては股部分７８付きの長靴７０を保持対象としたが、保持対象はこれに特に限定されるものではなく、運動靴や革靴、ブーツ等であっても良い。また、同時に２足の靴を保持する形態に限定されず、１足の靴を保持させる形態とすることも可能である。ただし、重量のある保持対象を効果的に保持させることが可能な構成を備えているため、比較的重量のある股部分付きの長靴等を保持させる場合や、複数の長靴等を同時に保持させる場合に特に効果的な作用を発揮させることができる。
【符号の説明】
【００４１】
１０    保持具（靴干し用の保持具）、
２０    支持部、
３０    第１保持部、
３１    第１部位、
３２    第２部位、
３３    第３部位、
３５    第１挿入口、
４０    第２保持部、
４１    第１傾斜部、
４２    第２傾斜部、
４５    第２挿入口、
７０    長靴（靴）、
７１    つま先部分、
７５    側方部、
８０    棒状部材、
ｓ      支点。
【図１】
0003162510.tif 000003
【図２】
0003162510.tif 000004
【図３】
0003162510.tif 000005
【図４】
0003162510.tif 000006